(57)【要約】  復調用リファレンス信号（DMRS）及び受信品質用リファレンス信号（SRS）の割り当てについての自由度の低下を防止できる送信装置。この装置では、リファレンス信号生成部（２０４）が、基地局（１００）によるDMRS及びSRSのいずれかの送信指示と、基地局（１００）にて設定された、DMRS及びSRSに用いられるRSパターンの識別情報とに基づいて、DMRS及びSRSの内、送信指示に対応するRSを生成し、送信信号形成部（２０７）が、生成されたRSを時間周波数リソースにマッピングする。DMRSのRSパターンとSRSのRSパターンとは、DMRSのRSパターンにおける、CS系列パターンの要素である巡回シフト量に対して、CS系列の系列長／４の長さを加算し、且つ、OCCパターンの構成要素である、第１のウォルシュ系列又は第２のウォルシュ系列の識別情報を逆転させることにより、SRSのRSパターンが得られる関係を有する。
2012147273.tif 000002
【特許請求の範囲】
【請求項１】
受信装置において受信データを復調するために用いられる第１のリファレンス信号及び前記受信装置において受信品質測定のために用いられる第２のリファレンス信号の少なくとも一方を複数のアンテナポートを用いて前記受信装置へ送信する送信装置であって、
前記第１のリファレンス信号及び前記第２のリファレンス信号に用いられるリファレンス信号パターンの識別情報に基づいて、前記第１のリファレンス信号及び前記第２のリファレンス信号の少なくとも一方を生成する生成手段と、
前記生成された前記第１のリファレンス信号及び前記第２のリファレンス信号の少なくとも一方を送信する送信手段と、
を具備し、
前記リファレンス信号パターンは、第１パターンと第２パターンとから構成され、
前記第１パターンは、前記複数のアンテナポートのそれぞれの識別情報と、前記それぞれの識別情報に対応する巡回シフト系列に対して与えられる巡回シフト量とから構成され、
前記第２パターンは、前記複数のアンテナポートのそれぞれの識別情報と、前記それぞれの識別情報に対応する第１のウォルシュ系列又は第２のウォルシュ系列の識別情報とから構成され、
前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する、
送信装置。
【請求項２】
前記生成手段は、前記第１のリファレンス信号及び前記第２のリファレンス信号のいずれかの送信を指示する指示情報に基づいて、前記第１のリファレンス信号及び前記第２のリファレンス信号のいずれかを生成する、
請求項１に記載の送信装置。
【請求項３】
前記生成手段は、前記第１のリファレンス信号のリファレンス信号パターンと前記第２のリファレンス信号のリファレンス信号パターンとが有する、前記第１のリファレンス信号のリファレンス信号パターンにおける、前記第１パターンの構成要素である巡回シフト量に対して、巡回シフト系列の系列長／１２又は系列長／１２×（−１）の長さを加算し、且つ、第２パターンの構成要素である、第１のウォルシュ系列又は第２のウォルシュ系列の識別情報を逆転させることにより、SRSのリファレンス信号パターンが得られる第２の関係と、前記第１の関係とを、前記第１のリファレンス信号及び前記第２のリファレンス信号のそれぞれが送信されるアンテナポート数に基づいて切り替える、
請求項１に記載の送信装置。
【請求項４】
複数の送信装置から送信された、受信データを復調するために用いられる第１のリファレンス信号及び受信品質測定のために用いられる第２のリファレンス信号を複数のアンテナポートを用いて受信する受信装置であって、
前記第１のリファレンス信号及び前記第２のリファレンス信号に用いられるリファレンス信号パターンを設定する設定手段と、
前記設定されたリファレンス信号パターンの識別情報に基づいて、前記第１のリファレンス信号及び前記第２のリファレンス信号の少なくとも一方を抽出する受信処理手段と、
を具備し、
前記リファレンス信号パターンは、第１パターンと第２パターンとから構成され、
前記第１パターンは、前記複数のアンテナポートのそれぞれの識別情報と、前記それぞれの識別情報に対応する巡回シフト系列に対して与えられる巡回シフト量とから構成され、
前記第２パターンは、前記複数のアンテナポートのそれぞれの識別情報と、前記それぞれの識別情報に対応する第１のウォルシュ系列又は第２のウォルシュ系列の識別情報とから構成され、
前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する、
受信装置。
【請求項５】
前記設定手段は、前記送信装置に対して送信する、前記第１のリファレンス信号及び前記第２のリファレンス信号のいずれかの送信を指示する指示情報を生成する、
請求項４に記載の受信装置。
【請求項６】
前記受信手段は、前記第１のリファレンス信号のリファレンス信号パターンと前記第２のリファレンス信号のリファレンス信号パターンとが有する、前記第１のリファレンス信号のリファレンス信号パターンにおける、前記第１パターンの構成要素である巡回シフト量に対して、巡回シフト系列の系列長／１２又は系列長／１２×（−１）の長さを加算し、且つ、第２パターンの構成要素である、第１のウォルシュ系列又は第２のウォルシュ系列の識別情報を逆転させることにより、SRSのリファレンス信号パターンが得られる第２の関係と、前記第１の関係とを、前記第１のリファレンス信号及び前記第２のリファレンス信号のそれぞれが送信されるアンテナポート数に基づいて切り替える、
請求項４に記載の受信装置。
【請求項７】
受信装置において受信データを復調するために用いられる第１のリファレンス信号及び前記受信装置において受信品質測定のために用いられる第２のリファレンス信号の少なくとも一方を複数のアンテナポートを用いて前記受信装置へ送信する送信方法であって、
前記第１のリファレンス信号及び前記第２のリファレンス信号に用いられるリファレンス信号パターンの識別情報に基づいて、前記第１のリファレンス信号及び前記第２のリファレンス信号の少なくとも一方を生成し、
前記生成された前記第１のリファレンス信号及び前記第２のリファレンス信号の少なくとも一方を送信し、
前記リファレンス信号パターンは、第１パターンと第２パターンとから構成され、
前記第１パターンは、前記複数のアンテナポートのそれぞれの識別情報と、前記それぞれの識別情報に対応する巡回シフト系列に対して与えられる巡回シフト量とから構成され、
前記第２パターンは、前記複数のアンテナポートのそれぞれの識別情報と、前記それぞれの識別情報に対応する第１のウォルシュ系列又は第２のウォルシュ系列の識別情報とから構成され、
前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する、
送信方法。
【請求項８】
複数の送信装置から送信された、受信データを復調するために用いられる第１のリファレンス信号及び受信品質測定のために用いられる第２のリファレンス信号を複数のアンテナポートを用いて受信する受信方法であって、
前記第１のリファレンス信号及び前記第２のリファレンス信号に用いられるリファレンス信号パターンを設定し、
前記設定されたリファレンス信号パターンの識別情報に基づいて、前記第１のリファレンス信号及び前記第２のリファレンス信号の少なくとも一方を抽出し、
前記リファレンス信号パターンは、第１パターンと第２パターンとから構成され、
前記第１パターンは、前記複数のアンテナポートのそれぞれの識別情報と、前記それぞれの識別情報に対応する巡回シフト系列に対して与えられる巡回シフト量とから構成され、
前記第２パターンは、前記複数のアンテナポートのそれぞれの識別情報と、前記それぞれの識別情報に対応する第１のウォルシュ系列又は第２のウォルシュ系列の識別情報とから構成され、
前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する、
受信方法。
【発明の詳細な説明】
【技術分野】
【０００１】
本発明は、送信装置、受信装置、送信方法、受信方法に関する。
【背景技術】
【０００２】
3GPP LTE-Advanced（3rd Generation Partnership Project Long-term Evolution-Advanced、以降、単に「LTE-A」と呼ぶ）のリリース10（Rel.10）規格では、上り回線のデータ送信において、4アンテナポートまでのSU-MIMO（Single User-Multi Input Multi Output）が用いられる。これにより、システムスループットを向上させることができる。また、上り回線では、復調用リファレンス信号（DMRS(Demodulation Reference signal)）も送信される。この復調用リファレンス信号としては、直交系列である巡回シフト系列(Cyclic Shift系列、CS系列)と、ウォルシュ系列(Orthogonal Cover Code、OCC)とが使用される（図１参照）。これにより、系列間干渉を軽減できる。ここで、端末は、基地局から通知された巡回シフト量0〜7（つまり、3bitで通知される）の内のいずれかに対応する巡回シフトを基礎系列に対して施すことにより、端末が使用する送信系列を生成する。巡回シフト量は、「巡回シフト(CS)番号“0〜11”×シンボル長 / 12」として表される。これにより、巡回シフト系列間の直交性が確保される。また、OCCとしては、直交性を有するw1=[1 1]およびw2=[1 -1]の２つが用意される。そして、１サブフレーム内に存在する２つのパイロット信号に対して、w1=[1 1]またはw2=[1 -1]が乗算される。なお、LTE規格では、基礎系列としてZadoff-Chu系列が用いられる。【０００３】
図２は、Rel.10規格において定義されている復調用リファレンス信号のテーブルが示されている。図２においては、８つの復調用リファレンス信号候補のそれぞれに関して、４つのアンテナポート識別番号と、各アンテナポート識別番号に対応する、巡回シフト量及びウォルシュ系列の識別情報（つまり、w1又はw2）とが対応づけられている。基地局が端末に対して復調用リファレンス信号候補を割り当てる場合、基地局は、復調用リファレンス信号候補の識別情報（３ビット）を割り当て対象の端末に対してPDCCH（Physical Downlink Control Channel）を介して通知する（非特許文献1参照）。【０００４】
ここで、図２において、アンテナポート40、41、42、43は、４つのアンテナポートを使用する場合のアンテナポート#0,#1,#2,#3を意味する。また、アンテナポート20、21は、２つのアンテナポートを使用する場合のアンテナポート#0,#1を意味する。なお、図２ではアンテナポート10を図示していないが、アンテナポート40、20と同じ列に存在する。【０００５】
図２を見てわかるように、１番目のアンテナポート（#0）に対する巡回シフト量からの、２番目のアンテナポート（#1）、３番目のアンテナポート（#2）、及び４番目のアンテナポート（#3）のそれぞれに対する巡回シフト量のオフセット値についてのオフセットパターン（以下では、単に「オフセットパターン」と呼ぶ）は、固定されている。すなわち、４アンテナポートの場合（つまり、４アンテナMIMO送信の場合）には、オフセットパターンは、“0,6,3,9”となる。すなわち、２アンテナMIMO及び４アンテナMIMOのいずれの場合にも、アンテナポート間のCS間隔が最大になるように設計されている。例えば、DMRSの送信に用いられるアンテナポートの数が２の場合、CS番号のオフセット量は“0,6”となり、CS間隔が「シンボル長／２」となる。また、DMRSの送信に用いられるアンテナポートの数が４の場合、CS番号のオフセット量は“0,6,3,9”となり、CS間隔が「シンボル長／４」となる。【０００６】
さらに、Rel.10規格では、DMRSの送信に用いられるアンテナポート数が２の場合、DMRSは、CS系列のみで直交化させる。例えば、１つのDMRSについて、２つのアンテナポートにおけるOCC番号は共通であり、w1，w2の一方のみが適用される。また、Rel.10規格では、アンテナポート数が３以上の場合、１つのDMRSについて、アンテナポート間で異なるOCCが適用されることがある。これは、DMRSの送信に用いられるアンテナポート数が２の場合には、CS系列のみで十分である一方、DMRSの送信に用いられるアンテナポート数が３以上の場合には、CS系列のみによって直交化させるにはCS間隔が必ずしも十分とは言えないためである。このため、DMRSの送信に用いられるアンテナポート数が３以上の場合、CS系列に加えてOCCによる直交化によって、直交性の改善が図られる（非特許文献３参照)。図２においては、復調用リファレンス信号候補群の内の半分（3bits indicationが’000’、’010’、’001’および’111’）は、アンテナポート#0,#1に関してはOCC識別情報が共通であり、アンテナポート#2,#3に関してはOCC識別情報が異なっている。そして、残りの半分（3bits indicationが’100’、’011’、’101’および’110’）は、アンテナポート#0,#1,#2,#3のすべてに関してOCC識別情報が共通する。【０００７】
以上のように、図２に示されるDMRSのリファレンス信号（RS）パターンテーブルでは、８つのRSパターン候補のそれぞれに対して、「CSパターン候補」及び「OCCパターン候補」のペアが対応付けられている。「CSパターン候補」は、４つのアンテナポート識別番号と、各アンテナポート識別番号に対応する巡回シフト量（又は、CS番号）とにより定義される。また、「OCCパターン候補」は、４つのアンテナポート識別番号と、各アンテナポート識別番号に対応するウォルシュ系列の識別情報（つまり、w1又はw2）とにより定義される。【０００８】
さらに、Rel.10規格では、上り回線において受信品質測定用リファレンス信号であるSRS（Sounding RS)が送信される。このSRSは、DMRSと異なるシンボルに時間多重(Time Division Multiplex，TDM)される。具体的には、DMRSがサブフレームの４番目、１１番目のシンボルに配置され、SRSが１４番目のシンボルに配置される（図３参照）。なお、DMRSとSRSとは独立に割り当てられる。また、複数の端末のDMRS及びSRSが同一周波数に割り当てられる。【０００９】
なお、DMRSは、上述の通り、データ信号の復調用に用いられる。そして、データ信号の送信側である端末が、DMRSを、データ信号が送信されるアンテナポートから、データ信号が送信されるサブフレームにおいて送信する。一方、SRSは、周波数スケジューリングに用いられる受信品質情報を取得するために用いられる。従って、SRSの送信とデータ信号の送信とは関連が低いので、一般的には、SRSは、他の信号とは独立して送信される。さらに、LTEの上り回線では、復調用リファレンス信号が送信される帯域幅はデータ信号の帯域幅と同じである一方、受信品質用リファレンス信号が送信される帯域幅はデータ信号の帯域幅に依存しない。【００１０】
ところで、LTE-AのRel.11規格では、MIMO通信を行う端末の増加に伴い、SRSの送信に用いられるリソース（以下では、「SRSリソース」と呼ばれることがある）の逼迫に備え、SRSリソースの拡張が予定されている。その方法の１つの候補として、図４に示すように、SRS(例えば、UE#1用)とDMRS(例えば、UE#2用)とを符号多重する方法がある(非特許文献２参照)。非特許文献２に開示されている技術では、SRSの送信タイミング制御に用いられるトリガ情報がPDCCHを介して基地局から端末へ通知される以外、SRSは、DMRSと同様の設定(例えば、系列グループ等)とされる。すなわち、DMRSと符号多重されるSRSの送信がトリガされた場合、DMRSと同様に、図２に記載されたテーブルに従って、SRSが生成される。なお、SRSの送信をトリガする方法としては、通常時に使用される可能性が低い指示（例えば、コンスタレーション）をトリガ情報に変更する方法、又は、トリガ用のビットを新規に設ける方法等が挙げられる。
【先行技術文献】
【非特許文献】
【００１１】
【非特許文献１】TS36.211 v10.0.0 “3GPP TSG RAN; Evolved Universal Terrestrial Radio Access (E-UTRA); Physical Channels and Modulation”
【非特許文献２】R1-105847, Huawei, HiSilicon, “Sounding using DMRS”, 3GPP TSG RAN WG1 meeting #63
【非特許文献３】R1-102304, DoCoMo, “Uplink DM-RS Resource Assignment for LTE-Advanced”
【発明の概要】
【発明が解決しようとする課題】
【００１２】
しかしながら、DMRSの割り当て及びSRSの割り当てのいずれにも同じテーブル(例えば、図２に示されるテーブル)を使用する場合、DMRS及びSRSの割り当てについての自由度が低い問題がある。【００１３】
本発明の目的は、復調用リファレンス信号と受信品質用リファレンス信号とが同じ時間周波数リソースにおいて送信される場合でも、復調用リファレンス信号及び受信品質用リファレンス信号の割り当てについての自由度の低下を防止できる送信装置、受信装置、送信方法、受信方法を提供することである。
【課題を解決するための手段】
【００１４】
本発明の一態様の送信装置は、受信装置において受信データを復調するために用いられる第１のリファレンス信号及び前記受信装置において受信品質測定のために用いられる第２のリファレンス信号の少なくとも一方を複数のアンテナポートを用いて前記受信装置へ送信する送信装置であって、前記第１のリファレンス信号及び前記第２のリファレンス信号に用いられるリファレンス信号パターンの識別情報に基づいて、前記第１のリファレンス信号及び前記第２のリファレンス信号の少なくとも一方を生成する生成手段と、前記生成された前記第１のリファレンス信号及び前記第２のリファレンス信号の少なくとも一方を送信する送信手段と、を具備し、前記リファレンス信号パターンは、第１パターンと第２パターンとから構成され、前記第１パターンは、前記複数のアンテナポートのそれぞれの識別情報と、前記それぞれの識別情報に対応する巡回シフト系列に対して与えられる巡回シフト量とから構成され、前記第２パターンは、前記複数のアンテナポートのそれぞれの識別情報と、前記それぞれの識別情報に対応する第１のウォルシュ系列又は第２のウォルシュ系列の識別情報とから構成され、前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する。【００１５】
本発明の一態様の受信装置は、複数の送信装置から送信された、受信データを復調するために用いられる第１のリファレンス信号及び受信品質測定のために用いられる第２のリファレンス信号を複数のアンテナポートを用いて受信する受信装置であって、前記第１のリファレンス信号及び前記第２のリファレンス信号に用いられるリファレンス信号パターンを設定する設定手段と、前記設定されたリファレンス信号パターンの識別情報に基づいて、前記第１のリファレンス信号及び前記第２のリファレンス信号の少なくとも一方を抽出する受信処理手段と、を具備し、前記リファレンス信号パターンは、第１パターンと第２パターンとから構成され、前記第１パターンは、前記複数のアンテナポートのそれぞれの識別情報と、前記それぞれの識別情報に対応する巡回シフト系列に対して与えられる巡回シフト量とから構成され、前記第２パターンは、前記複数のアンテナポートのそれぞれの識別情報と、前記それぞれの識別情報に対応する第１のウォルシュ系列又は第２のウォルシュ系列の識別情報とから構成され、前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する。【００１６】
本発明の一態様の送信方法は、受信装置において受信データを復調するために用いられる第１のリファレンス信号及び前記受信装置において受信品質測定のために用いられる第２のリファレンス信号の少なくとも一方を複数のアンテナポートを用いて前記受信装置へ送信する送信方法であって、前記第１のリファレンス信号及び前記第２のリファレンス信号に用いられるリファレンス信号パターンの識別情報に基づいて、前記第１のリファレンス信号及び前記第２のリファレンス信号の少なくとも一方を生成し、前記生成された前記第１のリファレンス信号及び前記第２のリファレンス信号の少なくとも一方を送信し、前記リファレンス信号パターンは、第１パターンと第２パターンとから構成され、前記第１パターンは、前記複数のアンテナポートのそれぞれの識別情報と、前記それぞれの識別情報に対応する巡回シフト系列に対して与えられる巡回シフト量とから構成され、前記第２パターンは、複数のアンテナポートのそれぞれの識別情報と、各識別情報に対応する第１のウォルシュ系列又は第２のウォルシュ系列の識別情報とから構成され、前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する。【００１７】
本発明の一態様の受信方法は、複数の送信装置から送信された、受信データを復調するために用いられる第１のリファレンス信号及び受信品質測定のために用いられる第２のリファレンス信号を複数のアンテナポートを用いて受信する受信方法であって、前記第１のリファレンス信号及び前記第２のリファレンス信号に用いられるリファレンス信号パターンを設定し、前記設定されたリファレンス信号パターンの識別情報に基づいて、前記第１のリファレンス信号及び前記第２のリファレンス信号の少なくとも一方を抽出し、前記リファレンス信号パターンは、第１パターンと第２パターンとから構成され、前記第１パターンは、前記複数のアンテナポートのそれぞれの識別情報と、前記それぞれの識別情報に対応する巡回シフト系列に対して与えられる巡回シフト量とから構成され、前記第２パターンは、前記複数のアンテナポートのそれぞれの識別情報と、前記それぞれの識別情報に対応する第１のウォルシュ系列又は第２のウォルシュ系列の識別情報とから構成され、前記第１のリファレンス信号のリファレンス信号パターンと前記第２のリファレンス信号のリファレンス信号パターンとは、前記第１のリファレンス信号のリファレンス信号パターンにおける、前記第１パターンの構成要素である巡回シフト量に対して、前記巡回シフト系列の系列長／４又は系列長×３／４の長さを加算し、且つ、前記第２パターンの構成要素である、前記第１のウォルシュ系列又は前記第２のウォルシュ系列の識別情報を逆転させることにより、前記第２のリファレンス信号のリファレンス信号パターンが得られる第１の関係を有する。
【発明の効果】
【００１８】
本発明によれば、復調用リファレンス信号と受信品質用リファレンス信号とが同じ時間周波数リソースにおいて送信される場合でも、復調用リファレンス信号及び受信品質用リファレンス信号の割り当てについての自由度の低下を防止できる送信装置、受信装置、送信方法、受信方法を提供することができる。
【図面の簡単な説明】
【００１９】
【図１】復調用リファレンス信号の説明に供する図
【図２】Rel.10規格において定義されている復調用リファレンス信号のテーブルを示す図
【図３】Rel.10規格における、受信品質測定用リファレンス信号の送信の説明に供する図
【図４】受信品質測定用リファレンス信号のためのリソースを拡張する方法の説明に供する図
【図５】復調用リファレンス信号のパターン及び受信品質測定用リファレンス信号のパターンの説明に供する図
【図６】復調用リファレンス信号のパターン及び受信品質測定用リファレンス信号のパターンの説明に供する図
【図７】本発明の実施の形態１に係る基地局の主要構成図
【図８】本発明の実施の形態１に係る端末の主要構成図
【図９】本発明の実施の形態１に係る基地局の構成を示すブロック図
【図１０】本発明の実施の形態１に係る端末の構成を示すブロック図
【図１１】復調用リファレンス信号のパターンテーブル及び受信品質測定用リファレンス信号のパターンテーブルを示す図
【図１２】受信品質測定用リファレンス信号のパターンテーブルのバリエーションを示す図
【図１３】復調用リファレンス信号のパターンテーブル及び受信品質測定用リファレンス信号のパターンテーブルによる効果の説明に供する図
【図１４】受信品質測定用リファレンス信号のパターンテーブルを示す図
【図１５】受信品質測定用リファレンス信号のパターンテーブルを示す図
【図１６】本発明の実施の形態２に係る、復調用リファレンス信号のパターンテーブル及び受信品質測定用リファレンス信号のパターンテーブルを示す図
【図１７】受信品質測定用リファレンス信号のパターンテーブルのバリエーションを示す図
【発明を実施するための形態】
【００２０】
本発明者らは、先ず、次の第１の課題群を見出した。
【００２１】
Rel.11規格に対応するサービスの開始段階では、各端末が所有する送信アンテナ数が２以下の場合が多いと考えられため、DMRS及びSRSのそれぞれを２つのアンテナポートで送信する頻度が高いと考えられる。
【００２２】
DMRS及びSRSのそれぞれを２つのアンテナポートで送信する場合（つまり、全体のアンテナポート数は４）、系列間干渉を最も低くするためには、例えば、DMRSのRSパターンとSRSのRSパターンとを、次のような関係にすることが考えられる。すなわち、DMRSのCSパターン及びSRSのCSパターンを構成するCS系列間におけるCS量の差が、「シンボル長／４」とされる。これにより、DMRSのCSパターン及びSRSのCSパターンを構成するCS系列間におけるCS量が最大となる。さらに、DMRSのCSパターン及びSRSのCSパターンを構成するCS系列においてCS量が近いCS系列ペアに対しては、そのCS系列ペアに対応するOCC系列には異なるOCC系列が割り当てられる。以上により、DMRSとSRSとの系列間干渉を最も低くできる。なお、Rel.10規格では、リファレンス信号の送信に用いられるアンテナポートの数が３の場合と４の場合とで、同じテーブルが用いられる。このため、リファレンス信号の送信に用いられるアンテナポートの数が３の場合（例えば、DMRS及びSRSの一方の送信に１つのアンテナポートが用いられ、他方の送信に２つのアンテナポートが用いられる場合）でも、上記したような関係を満たすDMRSのRSパターンとSRSのRSパターンとによって規定されるDMRS及びSRSが用いられる。そして、このDMRSのRSパターン及びSRSのRSパターンのそれぞれをを規定する、４つのCS番号及びOCC番号の内の３つが使用される。これにより、リファレンス信号の送信に用いられるアンテナポートの数が３の場合でも、DMRS及びSRSの系列間干渉を最も低くできる。
【００２３】
しかしながら、RSパターンテーブルとして図２に示したテーブルが用いられる場合、上記した関係を満たすためには、識別情報が“000，010，001，111”である４つのRSパターン候補の中から、DMRSのRSパターン及びSRSのRSパターンを選択する必要がある（図５Ａは識別情報“000，010，001，111”の内から“000，010”を選択した例）。このようにDMRSのRSパターン及びSRSのRSパターンの選択肢が減少すると、DMRSのRSパターンを構成するCS番号に依存するPHICH(Physical Hybrid ARQ Indicator Channel)リソースの選択肢が減少するという課題、並びに、DMRS及びSRSのセル間干渉の軽減効果が低下するという課題が生じる。一方、上記した４つのパターン以外からDMRSのRSパターン及びSRSのRSパターンを選択すると、CS量の間隔が「シンボル長／６（つまり、２×シンボル長／１２）」になる、DMRSのRSパターン及びSRSのRSパターンの組が選択される場合もあり、この場合には、系列間干渉が高くなる課題が生じる（図５Ｂは “000，010，001，111”の以外の識別情報の内から“011，101”を選択した例）。なお、DMRS及びSRSを送信するアンテナポートの数が２である場合には、CSのみによって直交性を十分に確保できる。
【００２４】
また、本発明者らは、第２の課題を見出した。
【００２５】
Rel.10規格では、SU-MIMOに用いられるアンテナポート数は４まで想定されている。すなわち、DMRS及びSRSのそれぞれは、４つのアンテナポートで送信される可能性がある。DMRS及びSRSの送信に用いられるアンテナポートの数が増加するほど、CS系列の直交性が崩れる。このため、OCC系列による直交性の改善効果が大きくなる。
【００２６】
DMRS及びSRSのそれぞれを４つのアンテナポートで送信する場合（つまり、全体のアンテナポート数は８）、例えば、DMRSのRSパターンとSRSのRSパターンとを、次のような関係にすることが考えられる。すなわち、DMRSのCSパターン及びSRSのCSパターンを構成するCS系列間におけるCS量の差が、「シンボル長／4」とされる。この場合、DMRSのCSパターン及びSRSのCSパターンを構成するCS系列群には、隣接するCS番号に対応する複数のCS系列が含まれる。具体的には、DMRSのCSパターンが“3，9，6，0”であり、SRSのCSパターンが“4，10，7，1”である場合が該当する（図６参照）。このとき、DMRSのCSパターンに対応するOCCパターンは、“w2，w2，w1，w1”であり、SRSのCSパターンに対応するOCCパターンは、“w1，w1，w1，w1”である。従って、DMRSのCSパターン及びSRSのCSパターンには、隣接するCS番号“6，7”，“0，1”が含まれ、これらに対応するOCC番号は、“w1，w1”，“w1，w1”である。すなわち、同じOCCが用いられる。このため、系列間干渉が大きくなってしまう。このような系列間干渉を避けられるRSパターンが限定的であることに問題がある。
【００２７】
以上の課題を解決すべく、本発明者らは、本発明に到った。なお、上記した第１の課題群を解決する実施の形態は、主に、実施の形態１に対応する。また、上記した第２の課題を解決する実施の形態は、主に、実施の形態２に対応する。
【００２８】
以下、本発明の実施の形態について図面を参照して詳細に説明する。なお、実施の形態において、同一の構成要素には同一の符号を付し、その説明は重複するので省略する。
【００２９】
［実施の形態１］
［通信システムの概要］
本発明の実施の形態１に係る通信システムは、基地局１００と端末２００とを有する。基地局１００は、LTE-A基地局であり、端末２００は、LTE-A端末である。基地局１００は、複数の端末２００から送信された、自装置において受信データを復調するために用いられる第１のリファレンス信号（例えば、DMRS）及び自装置において受信品質測定のために用いられる第２のリファレンス信号（例えば、SRS）を複数のアンテナポートを用いて受信する。また、端末２００は、第１のリファレンス信号又は第２のリファレンス信号の少なくとも一方を複数のアンテナポートを用いて基地局１００へ送信する。
【００３０】
図７は、本発明の実施の形態１に係る基地局１００の主要構成図である。基地局１００において、設定部１０１は、第１のリファレンス信号及び第２のリファレンス信号に用いられるリファレンス信号パターンを設定する。そして、受信処理部１０８は、設定されたリファレンス信号パターンの識別情報に基づいて、第１のリファレンス信号又は第２のリファレンス信号の少なくとも一方を抽出する。
【００３１】
そして、リファレンス信号パターンは、第１パターンと第２パターンとから構成される。そして、第１パターンは、複数のアンテナポートのそれぞれの識別情報と、それぞれの識別情報に対応する、巡回シフト系列に対して与えられる巡回シフト量とから構成される。そして、第２パターンは、複数のアンテナポートのそれぞれの識別情報と、それぞれの識別情報に対応する、第１のウォルシュ系列又は第２のウォルシュ系列の識別情報とから構成される。
【００３２】
そして、第１のリファレンス信号のリファレンス信号パターンと第２のリファレンス信号のリファレンス信号パターンとは、第１のリファレンス信号のリファレンス信号パターンにおける、第１パターンの構成要素である巡回シフト量に対して、巡回シフト系列の系列長／４の長さを加算し、且つ、前記第２パターンの構成要素である、第１のウォルシュ系列又は第２のウォルシュ系列の識別情報を逆転させることにより、第２のリファレンス信号のリファレンス信号パターンが得られる関係を有する。
【００３３】
図８は、本発明の実施の形態１に係る端末２００の主要構成図である。端末２００において、リファレンス信号生成部２０４は、第１のリファレンス信号及び第２のリファレンス信号に用いられるリファレンス信号パターンの識別情報に基づいて、第１のリファレンス信号及び第２のリファレンス信号の少なくとも一方を生成する。そして、送信部２０８は、生成された第１のリファレンス信号及び第２のリファレンス信号の少なくとも一方を送信する。
【００３４】
そして、リファレンス信号パターンは、第１パターンと第２パターンとから構成される。そして、第１パターンは、複数のアンテナポートのそれぞれの識別情報と、それぞれの識別情報に対応する、巡回シフト系列に対して与えられる巡回シフト量とから構成される。そして、第２パターンは、複数のアンテナポートのそれぞれの識別情報と、それぞれの識別情報に対応する、第１のウォルシュ系列又は第２のウォルシュ系列の識別情報とから構成される。
【００３５】
そして、第１のリファレンス信号のリファレンス信号パターンと第２のリファレンス信号のリファレンス信号パターンとは、第１のリファレンス信号のリファレンス信号パターンにおける、第１パターンの構成要素である巡回シフト量に対して、巡回シフト系列の系列長×１／４の長さを加算し、且つ、前記第２パターンの構成要素である、第１のウォルシュ系列又は第２のウォルシュ系列の識別情報を逆転させることにより、第２のリファレンス信号のリファレンス信号パターンが得られる関係を有する。
【００３６】
［基地局１００の構成］
図９は、本発明の実施の形態１に係る基地局１００の構成を示すブロック図である。図９において、基地局１００は、設定部１０１と、符号化・変調部１０２，１０３と、送信処理部１０４と、送信部１０５と、アンテナ１０６と、受信部１０７と、受信処理部１０８と、データ受信部１０９と、ＳＲＳ受信部１１０とを有する。
【００３７】
設定部１０１は、設定対象端末２００の「候補リソース」を設定するための「候補リソース設定情報」を生成する。具体的には、設定部１０１は、データの代わりにSRSを割り当てることができる時間周波数リソース（図４中の＃１４）以外に、第１の端末２００によるDMRS送信のために割り当てられた時間周波数リソースと同じリソースに、第１の端末２００によるSRS送信のためのリソースを設定する。この候補リソースは、設定対象端末２００がSRSをマッピングすることができるリソースである。そして、候補リソース設定情報は、「時間周波数リソース設定情報」と、「符号リソース設定情報」とに分けることができる。時間周波数リソース設定情報には、設定対象端末２００が候補リソースの設定を開始する先頭サブフレーム及び先頭周波数帯域、並びに、設定対象端末２００が使用可能な周波数帯域幅等が含まれる。また、符号リソース設定情報には、上記したRSパターン識別情報（３ビットのIndicator）が用いられる。
【００３８】
また、設定部１０１は、設定対象端末２００に対してSRSの送信を指示するトリガ情報を生成する。このトリガ情報に基づいて、設定対象端末２００は、SRSを送信するか又はDMRSを送信するかを決定し、候補リソース設定情報に基づくリソースにSRS又はDMRSをマッピングして送信する。なお、時間リソース設定情報はトリガ情報に含めて通知することもできる。
【００３９】
以上のように設定部１０１によって生成された、候補リソース設定情報は、設定情報として、符号化・変調部１０２、送信処理部１０４、及び送信部１０５を介して設定対象端末２００へ送信される。また、トリガ情報も同様に、符号化・変調部１０２、送信処理部１０４、及び送信部１０５を介して設定対象端末２００へ送信される。また、設定情報及びトリガ情報は、受信処理部１０８へも出力される。
【００４０】
さらに、設定部１０１は、上り回線データを割り当てる上り回線リソース（例えば、PUSCH(Physical Uplink Shared Channel）)及び下り回線データを割り当てる下り回線リソース(例えば、PDSCH（Physical Downlink Shared Channel））のリソース割当に関する情報（以下では、単に「割当情報」と呼ぶ）、並びに、MCSなどの制御に関するパラメータ（以下では、単に「制御情報」と呼ぶ）を設定する。ここで、上り回線についての制御情報には、復調用リファレンス信号に関する情報（つまり、DMRSのRSパターンを示す３ビットのIndicator）も含まれる。そして、上り回線リソースに関する割当情報は、符号化・変調部１０２および受信処理部１０８へ出力され、下り回線リソースに関する割当情報は、符号化・変調部１０２および送信処理部１０４へ出力される。
【００４１】
ここで、１つのタイミングでDMRSとSRSとが同時に送信される場合、DMRSとSRSとは、異なる端末２００から送信される。従って、DMRSに関する設定情報とSRSに関する設定情報とは、独立に設定される。すなわち、例えば、１つのタイミングで送信されるDMRSのRSパターンを示すIndicatorとSRSのRSパターンを示すIndicatorとが異なるようにすることも可能である。なお、１つの端末２００がDMRSとSRSを１つのタイミングで送信する場合、１つのIndicatorによってDMRSのRSパターン及びSRSのRSパターンを同時に設定することもできる。この場合には、シグナリング量を削減できる。
【００４２】
符号化・変調部１０２は、設定部１０１から受け取る設定情報、トリガ情報及び割当情報を符号化及び変調し、得られた変調信号を送信処理部１０４へ出力する。このとき、DMRSのRSパターンを示すIndicatorとSRSのRSパターンを示すIndicatorとは、個別のPDCCHを用いて送信されるので、独立に符号化される。また、トリガ情報は、従来技術と同様に、常時に使用される可能性が低い指示（つまり、コンスタレーション）によって通知されてもよいし、新規にトリガ用のビットを追加してこのビットによって通知されてもよい。
【００４３】
符号化・変調部１０３は、入力されるデータ信号を符号化及び変調し、得られた変調信号を送信処理部１０４へ出力する。
【００４４】
送信処理部１０４は、符号化・変調部１０２及び符号化・変調部１０３から受け取る変調信号を、設定部１０１から受け取る下り回線リソース割当情報の示すリソースにマッピングすることにより、送信信号を形成する。ここで、送信信号がOFDM信号である場合には、変調信号を、設定部１０１から受け取る下り回線リソース割当情報の示すリソースにマッピングし、逆高速フーリエ変換（IFFT）処理を施して時間波形に変換し、CP（Cyclic Prefix）を付加することにより、OFDM信号が形成される。
【００４５】
送信部１０５は、送信処理部１０４から受け取る送信信号に対して送信無線処理（アップコンバート、ディジタルアナログ（D/A）変換など）を施し、アンテナ１０６を介して送信する。
【００４６】
受信部１０７は、アンテナ１０６介して受信した無線信号に対して受信無線処理（ダウンコンバート、アナログディジタル（A/D）変換など）を施し、得られた受信信号を受信処理部１０８へ出力する。
【００４７】
受信処理部１０８は、設定部１０１から受け取る上り回線リソース割当情報に基づいて上りデータ信号及びACK/NACK情報がマッピングされているリソースを特定し、受信信号から、特定されたリソースにマッピングされている信号成分を抽出する。
【００４８】
また、受信処理部１０８は、設定部１０１から受け取る設定情報及びトリガ情報に基づいてSRSがマッピングされているリソースを特定する。
【００４９】
具体的には、受信処理部１０８は、「時間周波数リソース設定情報」及びトリガ情報に基づいてSRSがマッピングされている時間周波数リソースを特定する。さらに、受信処理部１０８は、「符号リソース設定情報」と、「RSパターンテーブル」とに基づいて、SRSがマッピングされている符号リソース（つまり、SRSの送信に用いられる巡回シフト系列の巡回シフト量及びOCC）を特定する。なお、「RSパターンテーブル」の詳細については、後述する。
【００５０】
また、受信処理部１０８は、設定部１０１から受け取る上り回線リソース割当情報及びトリガ情報に基づいて、DMRSがマッピングされている符号リソース（つまり、DMRSの送信に用いられる巡回シフト系列の巡回シフト量及びOCC）を特定する。
【００５１】
ここで、同じ時間周波数リソースに割り当てられた、DMRS及びSRSは、CS系列およびOCCによって符号多重されている。従って、「時間周波数リソース設定情報」、上り回線リソース割当情報、トリガ情報、及び「RSパターンテーブル」に基づいて、DMRS及びSRSがマッピングされている符号リソースは、特定される。
【００５２】
そして、受信処理部１０８は、受信信号から、DMRS及びSRSがマッピングされたリソースとして特定されたリソースにマッピングされている信号成分を抽出する。これにより、DMRSとSRSとが分離される。
【００５３】
ここで、受信信号が空間多重された（つまり、複数のコードワード（CW）によって送信された）信号である場合には、受信処理部１０８は、受信信号をCW毎に分離する。また、受信信号がOFDM信号である場合には、受信処理部１０８は、抽出された信号成分に対してIDFT（Inverse Discrete Fourier Transform）処理を施すことにより、時間領域信号に変換する。
【００５４】
こうして受信処理部１０８によって抽出された上りデータ信号及びACK/NACK情報は、データ受信部１０９へ出力され、SRSは、ＳＲＳ受信部１１０へ出力される。また、DMRSは、データ受信部１０９における上りデータ信号の等化処理等に使用される。
【００５５】
データ受信部１０９は、受信処理部１０８から受け取る信号を復号する。これにより、上り回線データ及びACK/NACK情報が得られる。
【００５６】
ＳＲＳ受信部１１０は、受信処理部１０８から受け取るSRSに基づいて、各周波数リソースユニットの受信品質を測定し、受信品質情報を出力する。
【００５７】
なお、設定情報（候補リソース設定情報）及びトリガ情報は、基地局１００のセルにおいてトラヒック状況が変化しない場合又は平均的な受信品質を測定したい場合には、通知間隔が長い上位レイヤ情報で通知されることが、シグナリングの観点から好ましい。また、設定情報及びトリガ情報の一部または全てを報知情報として通知することにより、通知量をより軽減することができる。しかしながら、設定情報及びトリガ情報をトラヒック状況などに応じてより動的に変更する必要がある場合には、設定情報及びトリガ情報の一部または全てを通知間隔が短いPDCCHで通知することが好ましい。
【００５８】
［端末２００の構成］
図１０は、本発明の実施の形態１に係る端末２００の構成を示すブロック図である。ここでは、端末２００は、LTE-A端末である。
【００５９】
図１０において、端末２００は、アンテナ２０１と、受信部２０２と、受信処理部２０３と、リファレンス信号生成部２０４と、データ信号生成部２０５と、送信制御部２０６と、送信信号形成部２０７と、送信部２０８とを有する。
【００６０】
受信部２０２は、アンテナ２０１を介して受信した無線信号に対して受信無線処理（ダウンコンバート、アナログディジタル（A/D）変換など）を施し、得られた受信信号を受信処理部２０３へ出力する。
【００６１】
受信処理部２０３は、受信信号に含まれる設定情報、割当情報、トリガ情報、及びデータ信号を抽出する。ここで、DMRSとSRSの設定情報が個別のPDCCHを使用して送信されている場合には、DMRSとSRSとでパラメータが異なる場合もある。
【００６２】
そして、受信処理部２０３は、設定情報、割当情報、及びトリガ情報を送信制御部２０６へ出力する。また、受信処理部２０３は、抽出されたデータ信号に対しては誤り検出処理を行い、誤り検出結果に応じたACK/NACK情報をデータ信号生成部２０５へ出力する。
【００６３】
送信制御部２０６は、自端末がSRSをマッピングする時間周波数リソースを特定する。具体的には、送信制御部２０６は、受信処理部２０３から受け取る設定情報（時間周波数リソース設定情報）及びトリガ情報に基づいて時間周波数リソース（以下では、「SRSマッピングリソース」と呼ばれることがある）を特定する。送信制御部２０６は、このSRSマッピングリソースに関する情報を送信信号形成部２０７へ出力する。また、送信制御部２０６は、SRS生成指示とSRSのRSパターンを示すIndicatorとをリファレンス信号生成部２０４へ出力する。
【００６４】
また、送信制御部２０６は、自端末がデータ信号及びDMRSをマッピングする時間周波数リソースを特定する。具体的には、送信制御部２０６は、受信処理部２０３から受け取る割当情報に基づいて時間周波数リソース（以下では、「データマッピングリソース、DMRSマッピングリソース」と呼ばれることがある）を特定する。送信制御部２０６は、このデータマッピングリソース、DMRSマッピングリソースに関する情報を送信信号形成部２０７へ出力する。また、送信制御部２０６は、DMRS生成指示とDMRSのRSパターンを示すIndicatorとをリファレンス信号生成部２０４へ出力する。また、送信制御部２０６は、割当情報に含まれるMCS情報をデータ信号生成部２０５へ出力する。
【００６５】
ここで、送信制御部２０６は、リファレンス信号生成部２０４に対してDMRS生成指示を出力するか又はSRS生成指示を出力するか（つまり、リファレンス信号生成部２０４にDMRSを生成させるか又はSRSを生成させるか）を、トリガ情報に基づいて決定する。
【００６６】
リファレンス信号生成部２０４は、送信制御部２０６からSRS生成指示を受け取ると、送信制御部２０６から受け取るRSのRSパターンを示すIndicatorと「RSパターンテーブル」とに基づいて、SRSを生成する。なお、「RSパターンテーブル」の詳細については、後述する。
【００６７】
また、リファレンス信号生成部２０４は、送信制御部２０６から受け取るDMRSのRSパターンを示すIndicatorと「RSパターンテーブル」とに基づいてDMRSを生成する。
【００６８】
なお、DMRS及びSRSの各設定情報（時間周波数リソース設定情報）及びトリガ情報が２つの個別のPDCCHを使用して通知される場合もある。このとき、一方のPDCCHのトリガ情報はDMRSを生成する指示を示し、他方のPDCCHのトリガ情報はSRSを生成する指示を示す場合が考えられる。この場合には、リファレンス信号生成部２０４は、DMRSとSRSとを生成する。
【００６９】
データ信号生成部２０５は、ACK/NACK情報及び送信データを入力とし、送信制御部２０６から受け取るＭCS情報に基づいてACK/NACK情報及び送信データを符号化及び変調することにより、データ信号を生成する。Non-MIMO送信の場合には、１つのコードワード（CW）でデータ信号が生成され、MIMO送信の場合には、２つのコードワードでデータ信号が生成される。なお、受信信号がOFDM信号の場合には、データ信号生成部２０５は、CP除去処理、ＦＦＴ処理も行う。
【００７０】
送信信号形成部２０７は、リファレンス信号生成部２０４から受け取るSRSをSRSマッピングリソースにマッピングする。また、送信信号形成部２０７は、リファレンス信号生成部２０４から受け取るDMRS及びデータ信号生成部２０５から受け取るデータ信号を、それぞれデータマッピングリソース及びDMRSマッピングリソースにマッピングする。これにより、送信信号が形成される。
【００７１】
なお、リファレンス信号生成部２０４から受け取るSRSをDMRSマッピングリソースにマッピングさせる場合もある。具体的には、SRSとDMRSとを同じDMRSマッピングリソースに符号多重させる場合などがある。
【００７２】
送信部２０８は、送信信号形成部２０７で形成された送信信号に対して送信無線処理（アップコンバート、ディジタルアナログ（D/A）変換など）を施してアンテナ２０１を介して送信する。
【００７３】
［基地局１００及び端末２００の動作］
以上の構成を有する基地局１００及び端末２００の動作について説明する。ここでは、特に、設定対象端末２００に対する候補符号リソースの設定処理、端末２００による候補符号リソースを用いたSRS又はDMRSの送信処理、及び、基地局１００による端末２００から送信されたSRS又はDMRSの受信処理について説明する。また、特に、第１の端末２００と第２の端末２００の内の一方がSRSを、他方がDMRSを同じ時間周波数リソースで送信する場合（つまり、異なる２つの端末２００から送信されたSRSとDMRSとが符号多重されている場合）について説明する。また、特に、３つ以上のアンテナポートを用いてSRS又はDMRSを送信する場合について説明する。
【００７４】
＜設定対象端末２００に対する候補符号リソースの設定処理＞
設定部１０１は、設定対象端末２００の候補符号リソースを設定するための候補符号リソース設定情報を生成する。ここでは、特に、符号リソース設定情報には、RSパターン識別情報（３ビットのIndicator）が用いられる。
【００７５】
また、設定部１０１は、SRSの送信を端末２００へ指示する場合、トリガ情報を生成する。このトリガ情報に基づいて、設定対象端末２００は、SRSを送信するか又はDMRSを送信するかを決定する。
【００７６】
こうして生成された候補符号リソース設定情報及びトリガ情報は、端末２００に対してPDCCHを介して送信される。
【００７７】
＜端末２００による候補符号リソースを用いたSRS又はDMRSの送信処理＞
送信制御部２０６は、受信処理部２０３から受け取るトリガ情報に基づいて、SRSを送信するか又はDMRSを送信するかを決定する。
【００７８】
リファレンス信号生成部２０４は、送信制御部２０６においてDMRSを送信すると決定された場合、候補符号リソース設定情報とDMRSのRSパターンテーブルとに基づいて、DMRSを生成する。
【００７９】
また、リファレンス信号生成部２０４は、送信制御部２０６においてSRSを送信すると決定された場合、候補符号リソース設定情報とSRSのRSパターンテーブルとに基づいて、SRSを生成する。
【００８０】
送信信号形成部２０７は、リファレンス信号生成部２０４において生成されたDMRS又はSRSを時間周波数リソースにマッピングして基地局１００へ送信する。
【００８１】
ここで、DMRSのRSパターンテーブルと、SRSのRSパターンテーブルとの関係について説明する。図１１は、DMRSのRSパターンテーブル及びSRSのRSパターンテーブルを示す。特に、図１１Ａは、DMRSのRSパターンテーブルであり、図１１Ｂは、SRSのRSパターンテーブルである。
【００８２】
図１１において、任意のIndicator（つまり、RSパターン候補）に着目する。例えば、Indicator“000"に着目すると、DMRSのRSパターンテーブルにおけるCSパターン候補は、“0,6,3,9”である一方、SRSのRSパターンテーブルにおけるCSパターン候補は、“3,9,6,0”である。すなわち、DMRSのRSパターンテーブルにおけるCSパターン候補の各要素に対して、巡回シフト量にCS系列長×１／４（つまり、シンボル長×１／４）を付加すること、すなわち、巡回シフト番号に３を付加することにより、SRSのRSパターンテーブルにおけるCSパターン候補になる。この関係は、任意のIndicatorについて成り立つ。
【００８３】
また、例えば、Indicator“000"に着目すると、DMRSのRSパターンテーブルにおけるOCCパターン候補は、“w1,w1,w2,w2”である一方、SRSのRSパターンテーブルにおけるCSパターン候補は、“w2,w2,w1,w1”である。すなわち、DMRSのRSパターンテーブルにおけるOCCパターン候補の要素を逆の状態に反転させることにより、SRSのRSパターンテーブルにおけるCSパターン候補となる。この関係は、任意のIndicatorについて成り立つ。
【００８４】
第１の端末２００がDMRSを、第２の端末２００がSRSを同じ時間周波数リソースで送信する場合、第１の端末２００は、DMRSのRSパターンテーブルを使用し、第２の端末２００は、SRSのRSパターンテーブルを使用する。
【００８５】
DMRSのRSパターンテーブルと、SRSのRSパターンテーブルとの間に、このような関係を持たせることにより、以下の効果が得られる。
【００８６】
すなわち、DMRSのRSパターンテーブル及びSRSのRSパターンテーブルにおいて、任意の共通のIndicatorに関して、DMRSのRSパターン候補とSRSのRSパターン候補とが異なり、且つ、OCCパターン候補も要素が反転している。このため、DMRS及びSRSの割り当てについての自由度の低下を防止できると共に、系列間干渉も低減できる。例えば、図１１のRSパターンテーブルにおいて、Indicator“011”に着目すると、DMRSのRSパターン候補のCSパターン候補が“4,10”であり且つOCCパターン候補が“w1,w1”の場合でも、SRSのRSパターン候補のCSパターン候補を“7,1”に、OCCパターン候補を“w2,w2”にすることができる。
【００８７】
＜基地局１００による端末２００から送信されたDMRS及びSRSの受信処理＞
受信処理部１０８は、設定部１０１から受け取るトリガ情報に基づいて、SRSを受信するか又はDMRSを受信するか、あるいはSRS及びDMRSの両方を受信するかを決定する。
【００８８】
受信処理部１０８は、DMRSを受信する場合、候補符号リソース設定情報とDMRSのRSパターンテーブルとに基づいて、DMRSがマッピングされているリソースを特定する。
【００８９】
また、受信処理部１０８は、SRSを受信する場合、候補符号リソース設定情報とSRSのRSパターンテーブルとに基づいて、SRSがマッピングされているリソースを特定する。
【００９０】
そして、受信処理部１０８は、受信信号から、DMRS及びSRSがマッピングされたリソースとして特定されたリソースにマッピングされている信号成分を抽出する。これにより、DMRSとSRSとが分離される。
【００９１】
以上のように本実施の形態によれば、端末２００は、基地局１００において受信データを復調するために用いられるDMRS及び受信品質測定のために用いられるSRSの少なくとも一方を基地局１００へ送信する。そして、端末２００において、リファレンス信号生成部２０４は、基地局１００によって設定された、DMRS及びSRSに用いられるリファレンス信号パターンに基づいて、DMRS及びSRSを生成する。送信部２０８は、生成されたDMRS及びSRSの少なくとも一方を送信する。
【００９２】
そして、リファレンス信号パターンは、第１パターン（つまり、CS系列パターン）と第２パターン（つまり、OCCパターン）とから構成される。そして、第１パターンは、複数のアンテナポートのそれぞれの識別情報と、各識別情報に対応する巡回シフト系列に対して与えられる巡回シフト量とから構成される。そして、第２パターンは、複数のアンテナポートのそれぞれの識別情報と、各識別情報に対応する第１のウォルシュ系列又は第２のウォルシュ系列の識別情報とから構成される。
【００９３】
そして、DMRSのリファレンス信号パターンとSRSのリファレンス信号パターンとは、DMRSのリファレンス信号パターンにおける、第１パターンの構成要素である巡回シフト量に対して、巡回シフト系列の系列長×１／４の長さを加算し、且つ、第２パターンの構成要素である、第１のウォルシュ系列又は第２のウォルシュ系列の識別情報を逆転させることにより、SRSのリファレンス信号パターンが得られる関係を有する。
【００９４】
こうすることにより、共通のIndicatorに関して、DMRSのRSパターンとSRSのRSパターンとが異なり、且つ、OCCパターン候補も要素が逆転するので、DMRS及びSRSの割り当てについての自由度の低下を防止できると共に、系列間干渉も低減できる。
【００９５】
なお、以上の説明では、DMRSのリファレンス信号パターンにおける、第１パターンの構成要素である巡回シフト量に対して加算される長さを巡回シフト系列の系列長×１／４としたが、本発明はこれに限定されるものではなく、巡回シフト系列の系列長×３／４であってもよく、その場合でも上記と同等の効果が得られる（図１２参照）。
【００９６】
また、以上の説明では、SRS及びDMRSのそれぞれが２つのアンテナポートを用いて送信されることを前提に説明を行った。しかしながら、これに限定されるものではなく、DMRS及びSRSの内の一方が１つのアンテナポートを用いて送信され、他方が２つのアンテナポートを用いて送信される場合でも、SRS及びDMRSのそれぞれが２つのアンテナポートを用いて送信される場合と同様の効果が得られる。
【００９７】
また、以上の説明では、異なる２つの端末２００からそれぞれ送信された、SRSとDMRSとが符号多重されている場合について説明を行った。しかしながら、これに限定されるものではなく、１つの端末２００からSRSとDMRSとが符号多重されて送信される場合でも動作が可能である。その場合、１つの端末２００に対して、SRSの送信を指示するトリガ情報とDMRSの送信を指示するトリガ情報とが、２つのPDCCHを介して送信される。２つのトリガ情報を受信した１つの端末２００は、１つの候補符号リソース設定情報に基づいてSRSとDMRSとを生成し、生成したSRSとDMRSとを符号多重して送信する。１つの端末において符号多重して送信されたSRSとDMRSとを受信処理する基地局１００の動作は、上記説明と同様である。
【００９８】
また、DMRSのリファレンス信号パターンにおける、第１パターンの構成要素である巡回シフト量に対して加算される長さを巡回シフト系列の系列長×３／４とする場合には、系列間干渉をより低減することができる。これは、DMRSが３つのアンテナポートで送信され且つSRSが１つのアンテナポートで送信される場合において、w1及びw2の偏りを低減できるためである。例えば、DMRSのRSパターン候補のCSパターン候補が“0，6，3”であり且つOCCパターン候補が“w1，w1，w2”の場合でも、SRSのRSパターン候補のCSパターン候補を“9”に、OCCパターン候補を“w2”にすることができる。
【００９９】
また、上記した通り、PDCCHで通知されるSRSのトリガ情報によってDMRS送信かSRS送信かを判断できるので、余分な通知なしに、DMRSのRSパターンテーブルとSRSのRSパターンテーブルとを切り替えることができる。
【０１００】
また、DMRSのリファレンス信号パターンとSRSのリファレンス信号パターンとが上記関係を有することにより、DMRS及びSRSのそれぞれが４つのアンテナポートで送信される場合でも、DMRSのリファレンス信号パターンの構成要素である巡回シフト量とSRSのリファレンス信号パターンの構成要素である巡回シフト量との差を３にすることができる（図１３参照）。具体的には、DMRSのRSパターン候補のCSパターン候補を“0，6，3，9”、OCCパターン候補を“w1，w1，w2，w2”とし、SRSのRSパターン候補のCSパターン候補を“9，3，0，6”、OCCパターン候補を“w1，w1，w2，w2”とすることができる。このような割当は、OCCによって高い直交性を維持できる環境（例えば、時間変動が緩やかな環境）に適しており、DMRS及びSRSの系列間干渉を低く抑えることができる。なお、OCCによって高い直交性を維持できない環境（例えば、時間変動が急峻な環境）では、DMRSのRSパターン候補のCSパターン候補を“4，10，7，1”、OCCパターン候補を“w1，w1，w1，w1”とし、SRSのRSパターン候補のCSパターン候補を“5，11，8，2”、OCCパターン候補を“w2，w2，w2，w2”とすることにより、OCCによる直交性を確保することができる。
【０１０１】
また、上記説明では、DMRSのリファレンス信号パターンとSRSのリファレンス信号パターンとの関係を、DMRSのリファレンス信号パターンにおける、第１パターンの構成要素である巡回シフト量に対して、巡回シフト系列の系列長×１／４の長さを加算し、且つ、第２パターンの構成要素である、第１のウォルシュ系列又は第２のウォルシュ系列の識別情報を逆転させることにより、SRSのリファレンス信号パターンが得られる関係として表現したが、これに限定されるものではない。
【０１０２】
例えば、次のような表現をすることもできる。すなわち、DMRSのリファレンス信号パターンとSRSのリファレンス信号パターンとは、DMRSのリファレンス信号パターンにおける、第１パターンの構成要素である巡回シフト量に対して、巡回シフト系列の系列長×（１／４＋１／２）又は系列長×（３／４＋１／２）の長さを加算することにより、SRSのリファレンス信号パターンが得られる関係を有する。図１４は、第１パターンの構成要素である巡回シフト量に対して加算される長さが、巡回シフト系列の系列長×（１／４＋１／２）の場合の、SRSのRSパターンテーブルである。また、図１５は、第１パターンの構成要素である巡回シフト量に対して加算される長さが、巡回シフト系列の系列長×（３／４＋１／２）の場合の、SRSのRSパターンテーブルである。より詳細には、図１４、図１５は、DMRSのリファレンス信号パターンにおける、第１パターンの構成要素である巡回シフト番号に対して、９（＝３＋６）又は１５（＝９＋６）を加算したものである。なお、１５を加算することは、巡回シフト番号が１２個（０〜１１）であることを考慮するとmod12から３を加算することとなる。
【０１０３】
また、Rel.10規格では、CS量が式（１）によって決定される。
【数１】
2012147273.tif 000003
【０１０４】
従って、上記説明では、DMRSのRSパターンテーブルと、SRSのRSパターンテーブルとを別々に用意したが、本発明はこれに限定されるものではなく、算出式によってDMRSのRSパターンとSRSのRSパターンとを求めてもよい。すなわち、式（1）を式（2）に変換し、式（2）おいてX=0とすることにより、DMRSのRSパターンが得られる。また、式（2）において、X=3又はX=9とすることにより、SRSのRSパターンが得られる。
【数２】
2012147273.tif 000004
【０１０５】
［実施の形態２］
実施の形態２は、RSパターンテーブルのバリエーションに関する。
【０１０６】
図１６は、実施の形態２に係る、DMRSのRSパターンテーブル及びSRSのRSパターンテーブルを示す。
【０１０７】
図１６において、任意のIndicatorに着目すると、DMRSのRSパターンテーブルにおけるCSパターン候補の各要素に対して、１又は−１を付加することにより、SRSのRSパターンテーブルにおけるCSパターン候補になる。この関係は、任意のIndicatorについて成り立つ。
【０１０８】
また、図１６において、任意のIndicatorに着目すると、DMRSのRSパターンテーブルにおけるOCCパターン候補の要素を逆の状態に反転させることにより、SRSのRSパターンテーブルにおけるCSパターン候補となる。この関係は、任意のIndicatorについて成り立つ。
【０１０９】
DMRSのRSパターンテーブルと、SRSのRSパターンテーブルとの間に、このような関係を持たせることにより、以下の効果が得られる。
【０１１０】
すなわち、DMRSのRSパターンテーブル及びSRSのRSパターンテーブルにおいて、任意の共通のIndicatorに関して、DMRSのRSパターン候補とSRSのRSパターン候補とが異なり、且つ、OCCパターン候補も要素が反転している。このため、DMRS及びSRSの割り当てについての自由度の低下を防止できると共に、系列間干渉も低減できる。
【０１１１】
特に、DMRSのRSパターンテーブルとSRSのRSパターンテーブルとを図１６に示したような関係にすることにより、上記した第２の課題を解決できる。すなわち、DMRS及びSRSのそれぞれが４つのアンテナポートを用いて送信される場合でも、系列間干渉を軽減できる。
【０１１２】
なお、DMRSの送信に用いられるアンテナポート数とSRSの送信に用いられるアンテナポート数との合計が５以上となると（例えば、DMRSのアンテナポート数が３、SRSのアンテナポート数が２の場合など）、DMRSのRSパターンテーブルが図２に示したものであることを前提とすると、DMRSのRSパターンの構成要素である巡回シフト量とSRSのRSパターンの構成要素である巡回シフト量とが隣接してしまう場合がある。例えば、DMRSのCS系列パターンが“0，6，3”である場合、SRSのCS系列パターンが“1，7”であっても“2，8”であっても、DMRSのCS系列パターン及びSRSのCS系列パターンには、差が１の巡回シフト量が含まれる。しかしながら、上述の通り、DMRSのRSパターンテーブル及びSRSのRSパターンテーブルにおいて、任意の共通のIndicatorに関して、DMRSのRSパターン候補とSRSのRSパターン候補とが異なり、且つ、OCCパターン候補も要素が反転しているので、合計のアンテナポート数が５以上であっても、系列間干渉を軽減できる。
【０１１３】
また、DMRSの送信に用いられるアンテナポート数とSRSの送信に用いられるアンテナポート数との合計が４以下の場合（例えば、DMRSの送信に用いられるアンテナポート数が１であり、SRSの送信に用いられるアンテナポート数が１である場合）で、巡回シフト番号の差が１の巡回シフト量を使用する場合であっても、合計が５以上の場合と同様に、系列間干渉を軽減できる。
【０１１４】
また、DMRSのRSパターンテーブルにおけるCSパターン候補の各要素に対して、１を付加することにより、SRSのRSパターンテーブルにおけるCSパターン候補になる場合、SRSの巡回シフト番号としては、DMRSの巡回シフト番号より１つ多くなる。そして、SRSの巡回シフト番号よりも１つ多い巡回シフト番号は使用されない。このため、SRS送信の遅延スプレッドが広くなることを許容できる。すなわち、RSの巡回シフト番号よりも１つ多い巡回シフト番号に対応する巡回シフト系列に対応する期間に到達する遅延波も、基地局１００は受信できる。これとは逆に、DMRSのRSパターンテーブルにおけるCSパターン候補の各要素に対して、−１を付加することにより、SRSのRSパターンテーブルにおけるCSパターン候補になる場合、DMRSの巡回シフト番号としては、SRSの巡回シフト番号より１つ多くなる。そして、DMRSの巡回シフト番号よりも１つ多い巡回シフト番号は使用されない。このため、DMRS送信の遅延スプレッドが広くなることを許容できる。なお、一般的には、SRSに対してよりも、DMRSに対して、より高精度の伝搬路推定が要求される。このため、DMRSのRSパターンテーブルにおけるCSパターン候補の各要素に対して、−１を付加することにより、SRSのRSパターンテーブルにおけるCSパターン候補になる関係が採用されることが好ましい。ただし、SRSに対して高精度の伝搬路推定が要求される場合には、DMRSのRSパターンテーブルにおけるCSパターン候補の各要素に対して、−１を付加することにより、SRSのRSパターンテーブルにおけるCSパターン候補になる関係を採用することが好ましい。
【０１１５】
以上のように本実施の形態によれば、DMRSのリファレンス信号パターンとSRSのリファレンス信号パターンとは、DMRSのリファレンス信号パターンにおける、第１パターンの構成要素である巡回シフト量に対して、巡回シフト系列の系列長×（１／１２）の長さ又は巡回シフト系列の系列長×（−１／１２）の長さを加算し、且つ、第２パターンの構成要素である、第１のウォルシュ系列又は第２のウォルシュ系列の識別情報を逆転させることにより、SRSのリファレンス信号パターンが得られる関係を有する。
【０１１６】
こうすることにより、共通のIndicatorに関して、DMRSのRSパターンとSRSのRSパターンとが異なり、且つ、OCCパターン候補も要素が逆転するので、DMRS及びSRSの割り当てについての自由度の低下を防止できると共に、系列間干渉も低減できる。
【０１１７】
また、上記説明では、DMRSのリファレンス信号パターンとSRSのリファレンス信号パターンとの関係を、DMRSのリファレンス信号パターンにおける、第１パターンの構成要素である巡回シフト量に対して、巡回シフト系列の系列長×（１／１２）の長さ又は巡回シフト系列の系列長×（−１／１２）の長さを加算し、且つ、第２パターンの構成要素である、第１のウォルシュ系列又は第２のウォルシュ系列の識別情報を逆転させることにより、SRSのリファレンス信号パターンが得られる関係として表現したが、これに限定されるものではない。
【０１１８】
例えば、次のような表現をすることもできる。すなわち、MRSのリファレンス信号パターンとSRSのリファレンス信号パターンとは、DMRSのリファレンス信号パターンにおける、第１パターンの構成要素である巡回シフト量に対して、巡回シフト系列の系列長×（１／１２＋６／１２）の長さ又は巡回シフト系列の系列長×（−１／１２＋６／１２）の長さを加算することにより、SRSのリファレンス信号パターンが得られる関係を有する。図１７は、第１パターンの構成要素である巡回シフト量に対して加算される長さが、巡回シフト系列の系列長×（１／１２＋６／１２）の場合の、SRSのRSパターンテーブルである。より詳細には、図１６、図１７は、DMRSのリファレンス信号パターンにおける、第１パターンの構成要素である巡回シフト番号に対して、７（＝１＋６）又は５（＝−１＋６）を加算したものである。
【０１１９】
また、上記説明では、DMRSのRSパターンテーブルと、SRSのRSパターンテーブルとを別々に用意したが、本発明はこれに限定されるものではなく、算出式によってDMRSのRSパターンとSRSのRSパターンとを求めてもよい。すなわち、式（１）において、X=0とすることにより、DMRSのRSパターンが得られる。また、式（１）において、X=7又はX=5とすることにより、SRSのRSパターンが得られる。
【０１２０】
［他の実施の形態］
（１）実施の形態１において説明したRSパターンテーブルと、実施の形態２において説明したRSパターンテーブルとを、アンテナポート数に応じて切り替えてもよい。この切り替え処理は、受信処理部１０８及びリファレンス信号生成部２０４によって行われる。
【０１２１】
具体的には、DMRS及びSRSのそれぞれが２つのアンテナポートを用いて送信される場合には、図１１、図１２、図１４又は図１５のRSパターンテーブルが使用され、DMRS及びSRSのそれぞれが４つのアンテナポートを用いて送信される場合には、図１６又は図１７のRSパターンテーブルが使用されるようにしてもよい。これにより、DMRS及びSRSのそれぞれが２つのアンテナポートを用いて送信される場合と、DMRS及びSRSのそれぞれが４つのアンテナポートを用いて送信される場合とで最適なRSパターンテーブルを使用することができる。
【０１２２】
また、RSパターンテーブルを切り替える代わりに、式（１）とXの値を用い、代入するXの値を切り替えてもよい。
【０１２３】
（２）上記各実施の形態では、２種類のリファレンス信号がDMRSとSRSとの場合について説明したが、本発明はこれに限定されるものではない。本発明は、２種類のリファレンス信号又は２種類のパイロット信号に対して適用できる。
【０１２４】
（３）上記各実施の形態では、DMRSのRSパターンとSRSのRSパターンとが、CS系列パターン及びOCCパターンの両方に関して、異なることを前提に説明を行った。しかしながらこれに限定されるものではなく、上位レイヤの通知によって、SRSのOCCパターン候補の要素を反転させるか否かが通知されることにより、切り替え処理が行われてもよい。また、上位レイヤによってオフセット値（例えば、＋３）が通知されることによって、SRSのCS系列Cパターン候補の要素にオフセット値が付加されるか否かが通知されることにより、切り替え処理が行われてもよい。
【０１２５】
（４）上記各実施の形態では、３ビットのIndicatorを適切に選択することにより、第１番目のアンテナポートにおいてDMRSに適用されるOCC（w1又はw2）、及び、第１番目のアンテナポートにおいてSRSに適用されるOCC（w1又はw2）を選択できる。このため、例えば、第１の端末２００及び第２の端末２００が共にSRSを送信する場合でも、第１の端末２００にw1を、第２の端末２００にw2を割り当てることができる。これにより、SRS同士の系列間干渉も低減できる。
【０１２６】
（５）DMRSとSRSで使用するアンテナポートの識別番号を異ならせてもよい。例えば、DMRSでは１番目のアンテナポート（アンテナポート＃０）から使用するが、SRSはDMRSのアンテナポートの識別番号にオフセット（＋２）を加えて３番目のアンテナポートから使用するとする。なお、オフセット量は上記に限定するものではない。
【０１２７】
（６）上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１２８】
（７）上記各実施の形態において、巡回シフト系列の巡回シフト量として、系列長×Y（1/4, 3/4など）のみで説明した部分もあるが、巡回シフト番号に置き換えて12×Y（1/4, 3/4など）としてもよい。
【０１２９】
例えば3GPP LTEにおいては、アンテナポートが何本の物理アンテナから構成されるかは規定されず、基地局が異なる参照信号（Reference signal）を送信できる最小単位として規定されている。
【０１３０】
また、アンテナポートはプリコーディングベクトル（Precoding vector）の重み付けを乗算する最小単位として規定されることもある。
【０１３１】
（８）上記各実施の形態では、本発明をハードウェアで構成する場合を例にとって説明したが、本発明はハードウェアとの連携においてソフトウェアでも実現することも可能である。
【０１３２】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３５】
２０１１年４月２６日出願の特願２０１１−０９８３５３の日本出願に含まれる明細書、図面および要約書の開示内容は、すべて本願に援用される。
【産業上の利用可能性】
【０１３６】
本発明の送信装置、受信装置、送信方法、受信方法は、復調用リファレンス信号と受信品質用リファレンス信号とが同じ時間周波数リソースにおいて送信される場合でも、復調用リファレンス信号及び受信品質用リファレンス信号の割り当てについての自由度の低下を防止できるものとして有用である。
【符号の説明】
【０１３７】
１００  基地局
１０１  設定部
１０２，１０３  符号化・変調部
１０４  送信処理部
１０５，２０８  送信部
１０６，２０１  アンテナ
１０７，２０２  受信部
１０８，２０３  受信処理部
１０９  データ受信部
１１０  ＳＲＳ受信部
２００  端末
２０４  リファレンス信号生成部
２０５  データ信号生成部
２０６  送信制御部
２０７  送信信号形成部
【図２】
2012147273.tif 000005
【図５】
2012147273.tif 000006
【図６】
2012147273.tif 000007
【図７】
2012147273.tif 000008
【図８】
2012147273.tif 000009
【図９】
2012147273.tif 000010
【図１０】
2012147273.tif 000011
【図１１】
2012147273.tif 000012
【図１２】
2012147273.tif 000013
【図１３】
2012147273.tif 000014
【図１４】
2012147273.tif 000015
【図１５】
2012147273.tif 000016
【図１６】
2012147273.tif 000017
【図１７】
2012147273.tif 000018
【図１】
2012147273.tif 000019
【図３】
2012147273.tif 000020
【図４】
2012147273.tif 000021
【国際調査報告】
2012147273.tif 000022
2012147273.tif 000023